(57)【要約】      （修正有）【課題】直接導光板で底板を代替することができ、実用性と進歩性を備えた統合式発光キーボードを提供する。【解決手段】統合式発光キーボード１は、複数のキー１２、光源１１、フレキシブル回路板１３、導光板１５、反射片を含み、そのうち、前記フレキシブル回路板は前記キーの下方に設置され、キーの押圧信号を検出し、前記導光板には前記キーボードに対応する複数の固定孔が設置され、前記キーを固定することができ、且つ前記導光板に前記光源が発生する光線が入射され、前記反射片は前記導光板の下方に設置され、これにより本考案の導光板はキーの固定と導光の効果を同時に備え、従来の発光キーボードの底板を省略し、構造の簡略化、軽量化、コスト節約の実用性と進歩性を達することができる。【選択図】図２
0003147752.tif 000002
【実用新案登録請求の範囲】
【請求項１】
統合式発光キーボードであって、前記発光キーボードが少なくとも１つの光源と、複数のキーと、前記キーの下方に設置され、且つ前記キーボードの押圧信号を検出するフレキシブル回路板と、前記光源が発生する光線が入射され、且つ前記キーボードを固定することができる導光板と、前記導光板の下方に設置された反射片を含むことを特徴とする、統合式発光キーボード。
【請求項２】
前記導光板に前記キーボードに対応する複数の固定孔を設置し、前記キーを固定することを特徴とする、請求項１に記載の統合式発光キーボード。
【請求項３】
前記光源が、発光ダイオード、ＣＣＦＬ（Ｃｏｌｄ  Ｃａｔｈｏｄｅ  Ｆｌｕｏｒｅｓｃｅｎｔ  Ｌａｍｐ  冷陰極蛍光ランプ）またはエレクトロルミネセンス発光片等、関連の発光部材のいずれかとすることができることを特徴とする、請求項１に記載の統合式発光キーボード。 
【請求項４】
前記光源を基板上に設置することができることを特徴とする、請求項１に記載の統合式発光キーボード。
【請求項５】
前記導光板の適当な位置に複数の空洞孔を穿設し、軽量化の効果を達することを特徴とする、請求項１に記載の統合式発光キーボード。
【請求項６】
前記導光板の底部に複数の粗面を設置したことを特徴とする、請求項１に記載の統合式発光キーボード。
【考案の詳細な説明】
【技術分野】
【０００１】
本考案は発光キーボードに関し、特に、直接導光板で底板を代替した統合式発光キーボードに関する。
【背景技術】
【０００２】
現在多くのキーボードの構造は、多様な色の光源を組み合わせて設置し、多様な色の発光効果を達し、夜間や照明不足の場所で効果的にキーボードを識別したり、キーボードの質感を高める効果を達している。
【０００３】
図１に従来の発光キーボードの立体図を示す。この図からはっきりと分かるように、従来の発光キーボード１は光源１１、複数のキー１２、フレキシブル回路板１３、底板１４、導光板１５、反射片１６を含む。そのうち、前記フレキシブル回路板１３は前記キー１２下方に設置され、且つ前記キー１２の押圧信号の検出に用いられ、前記底板１４は前記フレキシブル回路板１３の下方に設置され、且つ前記キー１２の固定に用いられる。前記導光板１５は前記底板１４の下方に設置され、且つ前記光源１１が射出する光線が入射され、前記導光板１５底部には複数の粗面が設けられる。前記反射片１６は前記導光板１５の下方に設置され、光源１１が射出する光線が前記導光板１５に入射されると、光線が粗面の設置により進路が変化され、光線がキー１２の箇所に散射される。これにより、キーボードの発光効果が達せられる。
【０００４】
しかしながら、上述の発光キーボード１は使用時に次のような問題と欠点が確実に存在する。
【０００５】
従来の発光キーボード１は光源１１、複数のキー１２、フレキシブル回路板１３、底板１４、導光板１５、反射片１６を含んでおり、その構造が複雑過ぎ、産業の競争が激しい現今、すでに経済的でなくなっており、且つコストが高すぎる。
このため、上述の従来品の問題と欠点をいかに解決するかが本考案の考案者と関連産業に従事する企業が改善を研究している方向性である。
【考案の開示】
【考案が解決しようとする課題】
【０００６】
本考案の考案者は上述の欠点に鑑みて、関連資料を収集し、多方面の評価と考慮を経て、且つ関連産業に従事した長年の経験に基づき、試作と修正を重ね、ついにこの直接導光板で底板を代替する統合式発光キーボードの実用新案の設計に至ったものである。
【０００７】
本考案の主な目的は、従来の発光キーボードの構造に存在する構造が複雑であるという問題を打破し、直接導光板で底板を代替することができ、実用性と進歩性を備えた統合式発光キーボードを提供することにある。
【課題を解決するための手段】
【０００８】
本考案の発光キーボードは複数のキー、光源、フレキシブル回路板、導光板、反射片を含み、前記フレキシブル回路板は前記キーの下方に設置され、且つ前記キーの押圧信号の検出に用いられ、前記導光板は前記フレキシブル回路板の下方に設置され、前記光源が発する光線が前記導光板に入射され、且つ前記導光板には前記キーボードに対応する複数の固定孔が設置され、前記キーを固定することができ、前記反射片は前記導光板の下方に設置され、そのうち、本考案の導光板はキー固定と導光効果を同時に備え、底板の設置を省略することができる。
【考案の効果】
【０００９】
全部の図に示すように、本考案の使用時には、従来技術と比較して、次のような利点が確実に存在する。
【００１０】
本考案の発光キーボード２は複数のキー４、光源３、フレキシブル回路板５、導光板６、反射片７を含み、前記フレキシブル回路板５は前記キー４の下方に設置され、且つキー４の押圧信号を検出し、前記導光板６には前記キーボードに対応する複数の固定孔６１が設置され、前記キー４を固定することができ、且つ前記導光板６に前記光源３が発生する光線３２が入射され、前記反射片７は前記導光板６の下方に設置され、上述の構造により、本考案の導光板６はキー４の固定と導光の効果を同時に備えており、従来の発光キーボードの底板を省略し、構造を簡略化、軽量化してコストを節約することができ、実用性と進歩性を達することができる。
【考案を実施するための最良の形態】
【００１１】
上述の目的及び効果を達するため、本考案が採用する技術手段及び構造について、以下、本考案の最良の実施例と図面に基づき詳細にその特徴と機能を説明する。
【００１２】
図２、図３、図４に本考案の最良の実施例の立体図、立体分解図、側面図を示す。これらの図からはっきりと分かるように、本考案発光キーボード２は、複数のキー４、少なくとも１つの光源３、フレキシブル回路板５、導光板６、反射片７を含む。
【００１３】
前記光源３は発光ダイオード、ＣＣＦＬ（Ｃｏｌｄ  Ｃａｔｈｏｄｅ  Ｆｌｕｏｒｅｓｃｅｎｔ  Ｌａｍｐ  冷陰極蛍光ランプ）またはエレクトロルミネセンス発光片等関連の発光部材のいずれかとすることができ、前記光源３は基板３１上に設置することができる。
【００１４】
前記フレキシブル回路板５は前記キー４の下方に設置され、且つ前記キーボードの押圧信号の検出に用いられる。
【００１５】
前記導光板６は前記光源３の発生する光線が入射され、前記導光板６には前記キーボードに対応する複数の固定孔６１が設置され、前記キー４を固定することができ、前記導光板６の底部には複数の粗面６３が設置される。
【００１６】
前記反射片７は前記導光板６の下方に設置され、光線の反射に用いられる。
【００１７】
上述の構造、組み立て設計に基づき、本考案の使用作動状況について以下で説明する。同時に図３と図５に本考案の最良の実施例の立体分解図と動作を示す側面図を示す。これらの図からはっきりと分かるように、本考案の発光キーボード２は光源３が発生する光線３２が前記導光板６に入射されると、前記導光板６底部に複数の粗面６３が設けられているため、光線３２が前記粗面６３に照射されると、光線３２の照射進路を変化させてキー４箇所に散射させることができ、これによりキー４に発光効果を持たせることができる。
【００１８】
さらに、本考案の発光キーボード２は複数のキー４、光源３、フレキシブル回路板５、導光板６、反射片７を含み、本考案の導光板６には前記キーボードに対応する複数の固定孔６１が設けられ、前記キー４を固定することができるため、本考案はキー４を固定するための底板を設置する必要がなく、本考案の導光板６はキー４の固定と光線３２を入射させる効果を同時に備えており、これにより、従来の発光キーボードの底板を省略し、構造を簡略化してコストを節約するという実用性と進歩性を達することができる。
【００１９】
同時に図６に本考案の別の最良の実施例の立体分解図を示す。この図からはっきりと分かるように、本考案の導光板６は適切な箇所に複数の空洞孔６２を穿設することができ、空洞孔６２の設置箇所はキー４発光箇所でないところとし、これにより発光キーボード２の軽量化の効果を達することができる。
【００２０】
以上の説明は本考案の最良の実施例に基づくものであり、本考案の特許範囲を制限するものではなく、本考案の明細書及び図面の内容を運用した簡易な修飾及び同等効果を有する構造の変化はすべて本考案の特許範囲内に含まれるものとする。
【００２１】
上述をまとめると、本考案の統合式発光キーボードは使用時に確実にその効果と目的を達することができるため、本考案は実用性に優れた創作であり、実用新案登録の出願要件を満たしているため、法に基づきここに出願を提出するものである。
【図面の簡単な説明】
【００２２】
【図１】従来の発光キーボードの立体図である。
【図２】本考案の最良の実施例の立体図である。
【図３】本考案の最良の実施例の立体分解図である。
【図４】本考案の最良の実施例の側面図である。
【図５】本考案の最良の実施例の動作を示す側面図である。
【図６】本考案の別の最良の実施例の立体分解図である。
【符号の説明】
【００２３】
１        発光キーボード
１１      光源
１２      キー
１３      フレキシブル回路板
１４      底板
１５      導光板
１５１    粗面
１６      反射片
２        発光キーボード
３        光源
３１      基板
３２      光線
４        キー
５        フレキシブル回路板
６        導光板
６１      固定孔
６２      空洞孔
６３      粗面
７        反射片
【図１】
0003147752.tif 000003
【図２】
0003147752.tif 000004
【図３】
0003147752.tif 000005
【図４】
0003147752.tif 000006
【図５】
0003147752.tif 000007
【図６】
0003147752.tif 000008